(57)【要約】【課題】持ち運びの利便性を向上できるプロジェクタを提供すること。【解決手段】光源を射出された光束を画像情報に応じて変調して画像光を形成し、前記画像光を拡大投射するプロジェクタ１において、外装を構成する外装筐体２と、外装筐体２の天面部２１に設けられプロジェクタ１を把持するための複数のハンドル３とを備え、ハンドル３は、天面部２１に立設される一対の取付部３１と、一対の取付部３１に接続し天面部２１に略平行して延出する把持部３２とを備える構成とした。複数人でもプロジェクタ１を持ち運ぶことができ、持ち運びの利便性を向上できる。【選択図】図１
2010049007.tif 000002
【特許請求の範囲】
【請求項１】
光源を射出された光束を画像情報に応じて変調して画像光を形成し、前記画像光を拡大投射するプロジェクタであって、
外装を構成する外装筐体と、前記外装筐体の天面部に設けられ当該プロジェクタを把持するための複数のハンドルとを備え、
前記ハンドルは、
前記天面部に立設される一対の取付部と、前記一対の取付部に接続し前記天面部に略平行して延出する把持部とを備える
ことを特徴とするプロジェクタ。
【請求項２】
請求項１に記載のプロジェクタにおいて、
前記複数のハンドルは、互いに略平行となるように配置されている
ことを特徴とするプロジェクタ。
【請求項３】
請求項１または請求項２に記載のプロジェクタにおいて、
前記把持部の内側には、
前記把持部の長手方向に沿って湾曲しながら突出する一対の突出部が設けられ、
前記一対の突出部は、互いに離間する方向に湾曲している
ことを特徴とするプロジェクタ。
【請求項４】
請求項１または請求項２に記載のプロジェクタにおいて、
前記把持部の内側には、
前記把持部の長手方向に沿って波状加工された凹凸部が設けられている
ことを特徴とするプロジェクタ。
【請求項５】
請求項１または請求項２に記載のプロジェクタにおいて、
前記把持部の内側には、
ドーム状に中央が丸みを帯びて膨出し、前記把持部の長手方向に沿って延出する突条部が設けられている
ことを特徴とするプロジェクタ。
【請求項６】
請求項１または請求項２に記載のプロジェクタにおいて、
前記把持部の一部が、前記外装筐体の側方より張り出している
ことを特徴とするプロジェクタ。
【請求項７】
請求項１または請求項２に記載のプロジェクタにおいて、
前記把持部は、
前記把持部の延出方向に沿う円柱形状の軸と、
前記軸を中心として回動自在とする把持部本体とを備える
ことを特徴とするプロジェクタ。
【発明の詳細な説明】
【技術分野】
【０００１】
本発明は、プロジェクタに関する。
【背景技術】
【０００２】
従来、プロジェクタは主として、会議、学会、および展示会等におけるプレゼンテーション等の様々な環境および用途で用いられることが多く、プロジェクタをプレゼンテーション会場等に持ち運んで使用される。このため、持ち運びの利便性を向上すべく、プロジェクタにハンドルを設けたものが知られている（例えば、特許文献１参照）。
【０００３】
【特許文献１】特開２００４−２７２０９３号公報
【発明の開示】
【発明が解決しようとする課題】
【０００４】
しかしながら、重量の重いプロジェクタに特許文献１に記載の技術を適用した場合には、以下の問題がある。
特許文献１に記載のハンドルは、片手持ち用のハンドルであるため、利用者は、重量の重いプロジェクタを一人で持ち運ばなければならず、持ち運びの利便性が悪いという問題がある。
【０００５】
本発明の目的は、持ち運びの利便性を向上できるプロジェクタを提供することにある。
【課題を解決するための手段】
【０００６】
本発明のプロジェクタは、光源を射出された光束を画像情報に応じて変調して画像光を形成し、前記画像光を拡大投射するプロジェクタであって、外装を構成する外装筐体と、前記外装筐体の天面部に設けられ当該プロジェクタを把持するための複数のハンドルとを備え、前記ハンドルは、前記天面部に立設される一対の取付部と、前記一対の取付部に接続し前記天面部に略平行して延出する把持部とを備えることを特徴とする。
【０００７】
本発明では、複数のハンドルが設けられるので、利用者は、単独でなくても、複数人でプロジェクタを持ち運ぶことができ、持ち運びの利便性を向上できる。
また、例えば、天面部側が上側となるように天井に取り付けられ、下方側に向けて画像光を投射するプロジェクタにおいては、ハンドルが天面部側に設けられるので、天井への取付作業をする際には、ハンドルを把持したまま、天井への取付作業を行うことができ、作業性を向上できる。
【０００８】
本発明のプロジェクタでは、前記複数のハンドルは、互いに略平行となるように配置されていることが好ましい。
【０００９】
本発明によれば、複数のハンドルが互いに平行となるように配置されているので、例えば、上記仕様において、天井に取り付ける際の天吊り金具が、各把持部に安定して水平に取り付けることができる。また、天吊り金具と天井との距離を短くできる。
【００１０】
本発明のプロジェクタでは、前記把持部の内側には、前記把持部の長手方向に沿って湾曲しながら突出する一対の突出部が設けられ、前記一対の突出部は、互いに離間する方向に湾曲していることが好ましい。
ここで、把持部の「内側」とは、把持部が天面部と対向する側をいう。
【００１１】
本発明によれば、突出部が互いに離間する方向に湾曲しているので、利用者がハンドルを把持する際に突出部に指を引っ掛けやすく、安定して持ち運びできる。
また、突出部が一対に設けられていることで、例えば、利用者が持ち手を逆にした場合や手の向きを逆にした場合でも、利用者の好みに応じて突出部に指を引っ掛けて、把持させることができ、持ち運びの利便性を向上できる。
【００１２】
本発明のプロジェクタでは、前記把持部の内側には、前記把持部の長手方向に沿って波状加工された凹凸部が設けられていることが好ましい。
【００１３】
本発明によれば、把持部の内側には、波状加工された凹凸部が設けられているので、利用者は、凹凸部に指がフィットして握りやすく、安定して持ち運びできる。
また、長手方向に沿って凹凸部が設けられているので、例えば、利用者が持ち手を逆にした場合や手の向きを逆にした場合でも、利用者の好みに応じて波状加工された凹凸部に把持させることができ、持ち運びの利便性を向上できる。
【００１４】
本発明のプロジェクタでは、前記把持部の内側には、ドーム状に中央が丸みを帯びて膨出し、前記把持部の長手方向に沿って延出する突条部が設けられていることが好ましい。
【００１５】
本発明によれば、把持部の内側には、ドーム状の突条部が長手方向に沿って形成されているので、利用者が指を曲げて把持部を把持する際に、突条部に容易に指をフィットさせることができ、安定して把持部を把持でき、安定して持ち運ぶことができる。
また、長手方向に沿って突条部が設けられているので、例えば、利用者が持ち手を逆にした場合や手の向きを逆にした場合でも、利用者の好みに応じて突条部に把持させることができ、持ち運びの利便性を向上できる。
【００１６】
本発明のプロジェクタでは、前記把持部の一部が、前記外装筐体の側方より張り出していることが好ましい。
【００１７】
本発明によれば、把持部が外装筐体の側方より張り出しているので、利用者が持ち運ぶ際に、外装筐体に体を接触させることなく、持ち運ぶことができる。
【００１８】
本発明のプロジェクタでは、前記把持部は、前記把持部の延出方向に沿う円柱形状の軸と、前記軸を中心として回動自在とする把持部本体とを備えることが好ましい。
【００１９】
本発明によれば、把持部本体が軸を中心として回動自在に構成されているので、例えば、利用者は、天井への取り付け作業において、天井方向へ持ち上げる際、持ち手を逆にしたり、手の向きを逆にしたりすることなく、把持部本体を回動させて作業をすることができ、作業性を向上できる。
【発明を実施するための最良の形態】
【００２０】
以下、本発明に係る第１実施形態を図面に基づいて説明する。
〔第１実施形態〕
[プロジェクタの外観構成]
図１は、本実施形態に係るプロジェクタ１を前面上方側から見た斜視図である。
なお、以下で記載する「上」、「下」、「左」、「右」は、図１における図面視において、上下左右に相当するものである。また、以下で記載する「前面」、「背面」も図１における図面視において、前面および背面に相当するものである。
プロジェクタ１は、光源から射出された光束を画像情報に応じて変調して画像光を形成し、形成した画像光をスクリーン（図示略）上に拡大投射するものである。
また、プロジェクタ１は、天井等に吊り下げられて、前面下方側に向けて拡大投射する仕様である。
このプロジェクタ１は、図１に示すように、外装を構成する外装筐体２と、利用者が持ち運ぶ際に把持するハンドル３とで概略構成される。
【００２１】
外装筐体２は、合成樹脂製であり、図１に示すように、天面部２１と、前面部２２、右側面部２３などを有し、略直方体形状を有する。  天面部２１の外縁側（右側面側および左側面側）には、ハンドル３が背面側から前面側に向けて、互いに略平行に取り付けられている。天面部２１のハンドル３に対応する位置には、凹部２１１が形成されている。これにより、利用者は、ハンドル３を把持した際に、指が外装筐体２に接触することなく、ハンドル３を把持しやすい構造となっている。
【００２２】
[ハンドルの構成]
図２は、ハンドル３の一部を破断した図である。
ハンドル３は、図１，２に示すように、天面部２１に立設される一対の取付部３１と、両端が各取付部３１先端に接続し、天面部２１に略平行に延出する把持部３２と備え、略Ｕ字形状を有する。
また、ハンドル３には、把持部３２の両端縁に対称となるように一対のねじ孔３３と、ねじ孔３３よりも把持部３２の中央寄りに対称となるように一対の貫通孔３４とが設けられる。
【００２３】
把持部３２は、利用者が手を握る箇所であり、図２のハンドル３の断面図に示すように、略四角筒形状を有する。なお、把持部３２の外側は、平坦面に形成される。
ねじ孔３３は、後述する天吊り金具４を取り付けるねじ孔であり、貫通孔３４は、天井へ取り付ける際に、より強固に天井に固定する金属製のワイヤー５（図３）を通す孔である。
【００２４】
図３は、天吊り金具４をプロジェクタ１に取り付けた際の斜視図である。
天吊り金具４は、金属製の板状体であり、両側の一部に一対の切り欠き４１を有し、両側から中央に向かって窪んでいる窪み部４２と、水平面に形成される外縁部４３とを備える。この窪み部４２の略中心部分には、円筒状のパイプ４４が設けられている。天吊り金具４の四隅には、ハンドル３のねじ孔３３に対応して、ねじ孔４５が形成され、このねじ孔４５の近傍には、ハンドル３の貫通孔３４に対応して、ワイヤー５を通す貫通孔４６が形成される。
【００２５】
この構成によれば、利用者は、天吊り金具４の窪み部４２をハンドル３間に位置決めして、外縁部４３を把持部３２に当接させて、天吊り金具４のねじ孔４５と、ハンドル３のねじ孔３３とを合わせて、ねじで螺合し、固定する。
次に、図３に示すように、利用者は、ワイヤー５を天吊り金具４の貫通孔４６およびハンドル３の貫通孔３４に挿通させて、ハンドル３間にワイヤー５を通す。
そして、利用者は、天吊り金具４の切り欠き４１により露出したハンドル３を把持し、天井に設けられた支持部材（図示略）に対して、パイプ４４を嵌合させるとともに、ワイヤー５を天井に設けられた孔（図示略）に通して、プロジェクタ１を天井に取り付ける。
【００２６】
上述した第１実施形態によれば、以下の効果がある。
複数のハンドル３が設けられたので、複数の利用者が、ハンドル３を把持でき、持ち運びの利便性を向上できる。
また、複数のハンドル３が外装筐体２の天面部２１に設けられたので、利用者は、天井への取り付け作業の際に、ハンドル３を把持したまま、天井への取り付け作業をすることができる。
さらに、ハンドル３の貫通孔３４および天吊り金具４の貫通孔４６が設けられたので、ワイヤー５をこれらの貫通孔３４，４６に挿通でき、天吊りの際に天井に強固に設置できる。従って、プロジェクタ１の落下防止につながる。また、ワイヤー５を通して固定することにより、天井へのプロジェクタ１の固定だけでなく、プロジェクタ１の盗難防止を図ることもできる。
【００２７】
把持部３２の外側は平坦面で、かつハンドル３は互いに平行に配置されるので、板状体の天吊り金具４をハンドル３に安定して水平に取り付けることができる。
天吊り金具４に窪み部４２が形成され、窪み部４２に取り付けられたパイプ４４が天井の支持部材に嵌合することで、プロジェクタ１を天井側により近接した位置に取り付けることができる。また、ハンドル３にプロジェクタ１を積み重ねて固定することにより、複数のプロジェクタを上下に重ねて投射するスタック投射も専用の冶具を必要とせず可能となる。
【００２８】
[第２実施形態]
図４は、本発明の第２実施形態に係るハンドル３を示す斜視図である。図の説明にあたって、前記実施形態と同一構成要素については、同一符号を付し、その説明を省略する。また、本実施形態以降では、本発明の要部であるハンドル３の把持部３２の形状について説明し、その他の構成の説明については、省略する。
本実施形態では、ハンドル３の把持部３２の内側には、把持部３２の延出方向に沿って湾曲しながら突出する一対の突出部３２１が設けられる。この突出部３２１は、互いに離間する方向に湾曲している。
【００２９】
本実施形態によれば、互いに離間する方向に湾曲する突出部３２１が設けられているので、利用者が容易に指を引っ掛けることができて、安定して持ち運びできる。
また、突出部３２１が一対に設けられているので、利用者が持ち手を逆にした場合や手の向きを逆にした場合でも、利用者の好みに応じて、突出部３２１に指を引っ掛けて、把持させることができ、持ち運びの利便性を向上できる。  
【００３０】
[第３実施形態]
図５は、本発明の第３実施形態に係るハンドル３を示す斜視図である。図の説明にあたって、前記第１実施形態と同一構成要素については、同一符号を付し、その説明を省略する。
本実施形態では、把持部３２の内側には、把持部３２の長手方向に沿って波状加工された凹凸部３２２が設けられる。
【００３１】
本実施形態によれば、把持部３２には、波状の凹凸部３２２が形成されているので、利用者は、凹凸部３２２に指がフィットして、ハンドル３を安定して持ち運びできる。
また、凹凸部３２２は、把持部３２の長手方向に沿って設けられるので、利用者は、第２実施形態と同様に、利用者が持ち手を逆にした場合や手の向きを逆にした場合でも、利用者の好みに応じて、凹凸部３２２に把持させることができ、持ち運びの利便性を向上できる。  
【００３２】
[第４実施形態]
図６は、本発明の第４実施形態に係るハンドル３を切断して、切断面から見た斜視図である。図の説明にあたって、前記第１実施形態と同一構成要素については、同一符号を付し、その説明を省略する。
本実施形態では、把持部３２の内側には、ドーム状に中央が丸みを帯びて膨出し、把持部３２の長手方向に沿って延出する突条部３２３が形成されている。
【００３３】
本実施形態によれば、把持部３２には、突条部３２３が形成されているので、利用者は、指を曲げる際に、突条部３２３に曲げた指をフィットさせやすく、ハンドル３を安定して持ち運びできる。
また、突条部３２３は、把持部３２の長手方向に沿って設けられるので、利用者は、第２，３実施形態と同様に、利用者が持ち手を逆にした場合や手の向きを逆にした場合でも、利用者の好みに応じて、突条部３２３に指をフィットさせるができ、持ち運びの利便性を向上できる。  
【００３４】
[第５実施形態]
図７は、本発明の第５実施形態に係るハンドル３を示す斜視図である。図の説明にあたって、前記第１実施形態と同一構成要素については、同一符号を付し、その説明を省略する。
本実施形態では、ハンドル３の把持部３２の一部が、外装筐体２の側方より張り出している。側方に把持部３２が張り出しているので、外装筐体２の天面部２１に凹部２１１が形成されていない。
【００３５】
本実施形態によれば、第１実施形態のように外装筐体２の天面部２１に凹部２１１を形成する必要がなく、把持部３２の一部が側方より張り出したハンドル３を取り付けるだけでよい。また、把持部３２の一部が側方より張り出しているので、利用者はハンドル３を把持しやすくなり、持ち運びの利便性を向上できる。
【００３６】
[第６実施形態]
図８は、本発明の第６実施形態に係るハンドル３を示す斜視図である。図の説明にあたって、前記第１実施形態と同一の構成要素については、同一符号を付し、その説明を省略する。
本実施形態では、把持部３２は、円柱形状の軸３２４と、円柱形状の把持部本体３２５とで構成される。把持部本体３２５の延出方向には、軸３２４が挿通され、把持部本体３２５は、軸３２４を中心として回動自在に構成されている。
【００３７】
本実施形態によれば、把持部本体３２５が軸３２４を中心として回動自在に構成されているので、利用者は、天井への取り付け作業において、天井方向へ持ち上げる際、持ち手を逆にしたり、手の向きを逆にしたりすることなく、把持部本体３２５を回動させて、作業をすることができ、作業性を向上できる。
【００３８】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００３９】
例えば、前記第２実施形態では、突出部３２１は、互いに離間する方向に湾曲していたが、突出部３２１を互いに近接する方向に屈曲させてもよい。この構成によっても、屈曲させた突出部に指を引っ掛けることができ、安定して把持できる。
【００４０】
前記第６実施形態では、円柱状の把持部３２の外側には、凹凸が形成されていなかったが、図９に示すように、把持部３２の外周面にわたって複数の凹部３２６が形成されていてもよい。この構成によれば、利用者は指を凹部３２６に合わせて把持でき、把持部３２が単に円柱状であるときよりも、指が把持部３２にフィットして、安定して把持できる。
また、図１０に示すように、把持部３２の外周面の中央付近には、把持部３２の長手方向に沿ってストライプ状に形成されたストライプ部材３２７が設けられてもよい。この構成によれば、利用者は把持部３２のストライプ部材３２７を把持することで、滑りを防止でき、安定して把持できる。
【００４１】
図１１に示すように、把持部３２の外周面の中央付近には、軸方向に沿って一対の楕円状のラバー３２８が取り付けられていてもよい。このラバー３２８には、衝撃吸収素材が使用されているので、ラバー３２８は、把持した際の指の形状に変形する。この構成によれば、利用者は把持部３２を把持する際に、ラバー３２８が指の形状に変形するので、滑りを防止できるとともに、安定して把持できる。また、ラバー３２８が外周面の一部に設けられており、全面に設けられていないので、把持する際にラバー３２８以外の部分も把持できる。すなわち、天吊り設置時に、プロジェクタ１を運び込んだ利用者が、天井への取り付け作業を行う利用者へプロジェクタ１を受け渡す際に、把持部３２に多少の滑りを得ることで、受け渡しの作業をスムーズにできて、作業を円滑化できる。
【００４２】
前記各実施形態でのプロジェクタ１は、前面下方側に向けて拡大投射する仕様であったが、レンズシフト機能を有するプロジェクタを用いてもよい。このプロジェクタによれば、ハンドル３が設けられた天面部２１を上面にしたまま、机上等に正置き姿勢で設置できる。
【産業上の利用可能性】
【００４３】
本発明は、持ち運びの利便性を向上できるため、プレゼンテーションやホームシアタに用いられるプロジェクタに利用できる。
【図面の簡単な説明】
【００４４】
【図１】本発明の第１実施形態に係るプロジェクタを示す斜視図。
【図２】前記第１実施形態に係るハンドルの一部を破断した図。
【図３】前記第１実施形態に係るプロジェクタに天吊り金具を取り付けた場合を示す斜視図。
【図４】本発明の第２実施形態に係るハンドルを示す斜視図。
【図５】本発明の第３実施形態に係るハンドルを示す斜視図。
【図６】本発明の第４実施形態に係るハンドルを示す斜視図。
【図７】本発明の第５実施形態に係るプロジェクタを示す斜視図。
【図８】本発明の第６実施形態に係るハンドルを示す斜視図。
【図９】本発明の変形例に係るハンドルを示す斜視図。
【図１０】本発明の変形例に係るハンドルを示す斜視図。
【図１１】本発明の変形例に係るハンドルを示す斜視図。
【符号の説明】
【００４５】
１…プロジェクタ、２…外装筐体、３…ハンドル、２１…天面部、３１…取付部、３２…把持部、３２１…突出部、３２２…凹凸部、３２３…突条部、３２４…軸、３２５…把持部本体。
【図１】
2010049007.tif 000003
【図２】
2010049007.tif 000004
【図３】
2010049007.tif 000005
【図４】
2010049007.tif 000006
【図５】
2010049007.tif 000007
【図６】
2010049007.tif 000008
【図７】
2010049007.tif 000009
【図８】
2010049007.tif 000010
【図９】
2010049007.tif 000011
【図１０】
2010049007.tif 000012
【図１１】
2010049007.tif 000013